(57)【特許請求の範囲】
【請求項１】
動作モードを電源オンモード及び電源オフモードに切り替えるための開閉信号を出力する電源スイッチと、第１の加熱コイル、第１のスイッチング手段を含み直流を高周波交流に変換し、前記第１の加熱コイルに高周波電流を供給する第１のインバータ制御部、前記第１のインバータ制御部の動作を制御する第１の制御部、前記第１のインバータ制御部の動作を設定すると共に、その設定内容を表示する第１の操作表示部、及び前記電源スイッチの開閉信号に基づき前記動作モードを切り替える第１の動作モード切替手段とを有する第１の誘導加熱部と、第２の加熱コイル、第２のスイッチング手段を含み直流を高周波交流に変換し、前記第２の加熱コイルに高周波電流を供給する第２のインバータ制御部、前記第２のインバータ制御部の動作を制御する第２の制御部、前記第２のインバータ制御部の動作を設定すると共に、その設定内容を表示する第２の操作表示部、及び前記電源スイッチの開閉信号に基づき前記動作モードを切り替える第２の動作モード切替手段を有する第２の誘導加熱部とを備え、前記第１及び第２の誘導加熱部は、他の誘導加熱部の動作モードについての情報を入力し、前記電源スイッチの開閉信号に基づき前記動作モードを電源オンモードに切り替えた場合でも、前記他の誘導加熱部の動作モードが電源オフモードであれば、自らの動作モードを電源オフモードとする誘導加熱調理器。
【請求項２】
第１及び第２の動作モード切替手段は、電源スイッチから出力される開閉信号のうち、閉信号の出力が所定時間以上継続した場合に、動作モードを電源オンモードから電源オフモード或いは、電源オフモードから電源オンモードへ切り替える請求項１に記載の誘導加熱調理器。
【請求項３】
第１及び第２の誘導加熱部は、電源スイッチの開閉信号に基づき動作モードを電源オフモードから電源オンモードへ切り替え後、所定時間経過後に他の誘導加熱部の動作モードについての情報を有効とする請求項１または２に記載の誘導加熱調理器。
【請求項４】
第１及び第２の動作モード切替手段は、電源オフモードから電源オンモードへ切り替える場合に必要とする電源スイッチから出力される閉信号の時間より、動作モードを電源オンモードから電源オフモードに切り替える場合に必要とする前記電源スイッチから出力される時間を短く設定する請求項１〜３のいずれか１項に記載の誘導加熱調理器。
【請求項５】
第１及び第２の誘導加熱部は、動作モードが電源オンモードの場合に、対応する第１及び第２の操作表示部にその表示を行う請求項１〜４のいずれか１項に記載の誘導加熱調理器。
【発明の詳細な説明】
【技術分野】
【０００１】
本発明は、電源スイッチの開閉信号により機器の動作モードを切り替える手段を備えた誘導加熱調理器に関するものである。
【背景技術】
【０００２】
従来、この種の誘導加熱調理器は、電源スイッチの開閉から出力される信号を動作モード切替手段で検知し、検知した閉信号の時間長さに応じて電源オンの有効および無効を判断するというものである（例えば、特許文献１参照）。
【０００３】
以下、その従来例について図２を用いて説明する。
【０００４】
図２は、従来の誘導加熱調理器のブロック図である。動作モードを電源オンモードと電源オフモードに切り替えるための開閉信号を出力する電源スイッチ１０１と、加熱コイル１０２と、スイッチング手段を含み直流を高周波交流に変換し、加熱コイル１０２に高周波電流を供給するインバータ制御部１０３と、インバータ制御部１０３の動作を設定すると共に、その設定内容を表示する操作表示部と、電源スイッチ１０１の開閉信号に基づき動作モードを切り替える動作モード切替手段１０４から構成されている。
【０００５】
上記構成において、動作モード切替手段１０４は、動作モードが電源オフモードの場合は、電源スイッチ１０１から出力される開閉信号のうち、閉信号が所定時間以上継続されて出力された場合に動作モードを電源オンモードに切り替え、動作モードが電源オフモードの場合は、電源スイッチ１０１から閉信号が出力されると、所定時間無しで動作モードを電源オフモードに切り替えることにより、使用者が無意識で電源スイッチに触れて動作モードが切り替わる可能性を軽減することが可能となる。
【先行技術文献】
【特許文献】
【０００６】
【特許文献１】特開２０１１−０１４２６６号公報
【発明の概要】
【発明が解決しようとする課題】
【０００７】
しかしながら、前記従来の構成では、動作モードを電源オンモードと電源オフモードに切り替えるための開閉信号を出力する１つの電源スイッチに対し、その電源スイッチの開閉信号に基づき動作モードを切り替える動作モード切替手段を２つ有する構成において、構成する回路のバラツキにより動作モード切替手段に検知時間ズレが発生するため、電源スイッチから出力された閉信号の時間長さが同一であったとしても、１つの動作モード切替手段の動作モードが切り替わっても、他の動作モード切替手段の動作モードが切り替わらず、２つの動作モード切替手段の動作モードが一致しない場合があるという課題を有していた。
【０００８】
本発明は、前記従来の課題を解決するもので、１つの電源スイッチに対して、その開閉信号から動作モードを切り替える動作モード切替手段を複数備える場合、検知時間ズレ等発生した場合においても、複数の動作モード切替手段の動作モードを同一状態に保つことができる誘導加熱調理器を提供することを目的とする。
【課題を解決するための手段】
【０００９】
前記従来の課題を解決するために、本発明の誘導加熱調理器は、動作モードを電源オン
モード及び電源オフモードに切り替えるための開閉信号を出力する電源スイッチと、第１の加熱コイル、第１のスイッチング手段を含み直流を高周波交流に変換し、第１の加熱コイルに高周波電流を供給する第１のインバータ制御部、第１のインバータ制御部の動作を制御する第１の制御部、第１のインバータ制御部の動作を設定すると共に、その設定内容を表示する第１の操作表示部、及び電源スイッチの開閉信号に基づき動作モードを切り替える第１の動作モード切替手段を有する第１の誘導加熱部と、第２の加熱コイル、第２のスイッチング手段を含み直流を高周波交流に変換し、第２の加熱コイルに高周波電流を供給する第２のインバータ制御部、第２のインバータ制御部の動作を制御する第２の制御部、第２のインバータ制御部の動作を設定すると共に、その設定内容を表示する第２の操作表示部、及び電源スイッチの開閉信号に基づき前記動作モードを切り替える第２の動作モード切替手段を有する第２の誘導加熱部と、を備え、第１及び第２の誘導加熱部は、他の誘導加熱部の動作モードについての情報を入力し、電源スイッチの開閉信号に基づき前記動作モードを電源オンモードに切り替えた場合でも、他の誘導加熱部の動作モードが電源オフモードであれば、自らの動作モードを電源オフモードとするようにしたものである。
【００１０】
これによって、動作モードを電源オンモードと電源オフモードに切り替えるための開閉信号を出力する１つの電源スイッチに対し、その電源スイッチの開閉信号に基づき動作モードを切り替える動作モード切替手段を２つ有する構成において、構成する回路のバラツキにより動作モード切替手段に検知時間ズレが発生するため、電源スイッチから出力された閉信号の時間長さが同一であっても、１つの動作モード切替手段の動作モードが切り替わるものの、他の動作モード切替手段の動作モードが切り替わらなかった場合が発生したとしても、２つの動作モード切替手段の動作モードを統一させることができる。
【発明の効果】
【００１１】
本発明の誘導加熱調理器は、動作モードを電源オンモードと電源オフモードに切り替えるための開閉信号を出力する１つの電源スイッチに対し、その電源スイッチの開閉信号に基づき動作モードを切り替える動作モード切替手段を２つ有する構成において、構成する回路のバラツキにより動作モード切替手段に検知時間ズレが発生するために、電源スイッチから出力された閉信号の時間長さが同一であったとしても、１つの動作モード切替手段の動作モードが切り替わっても、他の動作モード切替手段の動作モードが切り替わらない場合においても、２つの動作モード切替手段の動作モードを統一させることができる。
【図面の簡単な説明】
【００１２】
【図１】本発明の実施の形態１における誘導加熱調理器のブロック図
【図２】従来の誘導加熱調理器のブロック図
【発明を実施するための形態】
【００１３】
第１の発明は、動作モードを電源オンモード及び電源オフモードに切り替えるための開閉信号を出力する電源スイッチと、第１の加熱コイル、第１のスイッチング手段を含み直流を高周波交流に変換し、第１の加熱コイルに高周波電流を供給する第１のインバータ制御部、第１のインバータ制御部の動作を制御する第１の制御部、第１のインバータ制御部の動作を設定すると共に、その設定内容を表示する第１の操作表示部、及び電源スイッチの開閉信号に基づき動作モードを切り替える第１の動作モード切替手段を有する第１の誘導加熱部と、第２の加熱コイル、第２のスイッチング手段を含み直流を高周波交流に変換し、第２の加熱コイルに高周波電流を供給する第２のインバータ制御部、第２のインバータ制御部の動作を制御する第２の制御部、第２のインバータ制御部の動作を設定すると共に、その設定内容を表示する第２の操作表示部、及び電源スイッチの開閉信号に基づき動作モードを切り替える第２の動作モード切替手段を有する第２の誘導加熱部と、を備え、第１及び第２の誘導加熱部は、他の誘導加熱部の動作モードについての情報を入力し、電源スイッチの開閉信号に基づき動作モードを電源オンモードに切り替えた場合でも、他の
誘導加熱部の動作モードが電源オフモードであれば、自らの動作モードを電源オフモードとするとすることにより、構成する回路のバラツキにより動作モード切替手段に検知時間ズレが発生するために、電源スイッチから出力された閉信号の時間長さが同一であったとしても、１つの動作モード切替手段の動作モードが切り替わっても、他の動作モード切替手段の動作モードが切り替わらない場合においても、２つの動作モード切替手段の動作モードを統一させることができる。
【００１４】
第２の発明は、特に、第１の発明において、第１及び第２の動作モード切替手段は、電源スイッチから出力される開閉信号のうち、閉信号の出力が所定時間以上継続した場合に、動作モードを電源オンモードから電源オフモード或いは、電源オフモードから電源オンモードへ切り替えるとすることにより、電源スイッチから出力される閉信号に一定の所定時間を設け、使用者が無意識で電源スイッチに触れて動作モードが切り替わる事態の発生を低減し、安全性を向上させることができる。さらに、動作モード切替手段をマイクロコンピュータにて構成することにより、設定した所定時間のバラツキを少なくすることができ、精度を向上できる。
【００１５】
第３の発明は、特に、第１または第２の発明において、第１及び第２の誘導加熱部は、電源スイッチの開閉信号に基づき動作モードを電源オフモードから電源オンモードへ切り替え後、所定時間経過後に他の誘導加熱部の動作モードについての情報を有効とするとすることにより、他の誘導加熱部の動作モードについての情報を参照する際に、構成する回路のバラツキにより他の誘導加熱部の動作モードが切り替わったという情報の伝達にディレイ時間が発生した場合でも、不用意に自らの動作モードを切り替える事態を避けることができる。
【００１６】
第４の発明は、特に、第１〜３のいずれか１つの発明において、第１及び第２の動作モード切替手段は、電源オフモードから電源オンモードへ切り替える場合に必要とする電源スイッチから出力される閉信号の時間より、動作モードを電源オンモードから電源オフモードに切り替える場合に必要とする電源スイッチから出力される時間を短く設定するとすることにより、使用者が緊急停時など、第１及び第２の誘導加熱部の動作モードを電源オフモードに切り替えたい場合においても、即座に電源オフモードに切り替えることができ、安全性を向上することができる。
【００１７】
第５の発明は、特に、第１〜４のいずれか１つの発明において、第１及び第２の誘導加熱部は、動作モードが電源オンモードの場合に、対応する第１及び第２の操作表示部にその表示を行うとすることにより、使用者に第１および第２の誘導加熱部の動作モードが電源オンモードであるのか、電源オフモードであるのかを視覚的に分かりやすく伝達することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における誘導加熱調理器の構成を示すブロック図である。
【００２０】
図１において、本発明の第１の実施の形態における誘導加熱調理器は、動作モードを電源オンモードと電源オフモードに切り替えるための開閉信号を出力する電源スイッチ１と、第１の加熱コイル２、第１のスイッチング手段３を含み直流を高周波交流に変換し、第１の加熱コイルに高周波電流を供給する第１のインバータ制御部４、第１のインバータ制御部４の動作を制御する第１の制御部５、第１のインバータ制御部４の動作を設定すると
共に、その設定内容を表示する第１の操作表示部６及び、電源スイッチ１の開閉信号に基づき動作モードを切り替える第１の動作モード切替手段７を有する第１の誘導加熱部８と、第２の加熱コイル９、第２のスイッチング手段１０を含み直流を高周波交流に変換し、第２の加熱コイル９に高周波電流を供給する第２のインバータ制御部１１、第２のインバータ制御部１１の動作を制御する第２の制御部１２、第２のインバータ制御部１１の動作を設定すると共に、その設定内容を表示する第２の操作表示部１３及び、電源スイッチ１の開閉信号に基づき動作モードを切り替える第２の動作モード切替手段１４を有する第２の誘導加熱部１５とで構成されている。
【００２１】
第１の誘導加熱部８は、第１の動作モード切替手段７の動作モードが電源オンモードである時、第１の操作表示部６に設けられたスイッチ等の入力を有効とし、使用者が第１の操作表示部６のスイッチ等を操作することにより第１の操作表示部６は、第１の制御部５に動作開始信号を出力し、それを受けた第１の制御部５は第１のインバータ制御部４に搭載されたＩＧＢＴ等で構成される第１のスイッチング手段３に駆動信号を出力する。これを受けた第１のインバータ制御部４は搭載された第１のスイッチング手段３を駆動することにより、高周波電流を第１の加熱コイル２に供給する。逆に、第１の動作モード切替手段７の動作モードが電源オフモードである時、第１の操作表示部６に設けられたスイッチ等の入力は無効とし、使用者が第１の操作表示部６のスイッチ等を操作しても第１の操作表示部６は、第１の制御部５に動作開始信号の出力を停止するため、第１の加熱コイル２には高周波電流が供給されない。
【００２２】
また、第２の誘導加熱部１５は、第２の動作モード切替手段１４の動作モードが電源オンモードである時、第２の操作表示部１３に設けられたスイッチ等の入力を有効とし、使用者が第２の操作表示部１３のスイッチ等を操作することにより第２の操作表示部１３は、第２の制御部１２に動作開始信号を出力し、それを受けた第２の制御部１２は、第２のインバータ制御部１１に搭載されたＩＧＢＴ等で構成される第２のスイッチング手段１０の駆動信号を出力する。それを受けた第２のインバータ制御部１１は搭載された第２のスイッチング手段１０を駆動することにより、高周波電流を第２の加熱コイル９に供給する。逆に、第２の動作モード切替手段１４の動作モードが電源オフモードである時、第２の操作表示部１３に設けられたスイッチ等の入力は無効とし、使用者が第２の操作表示部１３のスイッチ等を操作しても第２の操作表示部１３は、第２の制御部１２に動作開始信号の出力を停止するため、第２の加熱コイル９には高周波電流が供給されない。
【００２３】
以上のように構成された誘導加熱調理器において、以下、図２を用いて、その動作、作用を説明する。
【００２４】
使用者が通常開の状態である電源スイッチ１を閉の状態にすると、電源スイッチ１は閉信号を第１及び第２の動作モード切替手段７、１４に出力する。電源スイッチ１より閉信号を入力した第１及び第２の動作モード切替手段７、１４は、それぞれ、その閉信号の入力が有効であると判断すると、現在の動作モードが電源オフモードであれば電源オンモードに、電源オフモードであれば、電源オンモードに動作モードを切り替える。
【００２５】
さらに、第１の動作モード切替手段７は、動作モードを第１の制御部５に出力すると共に、第１の制御部５は、第２の制御部１２に第１の誘導加熱部８の動作モードを出力する。同様に、第２の動作モード切替手段１４は、動作モードを第２の制御部１２に出力すると共に、第２の制御部１２は、第１の制御部５に第２の誘導加熱部１５の動作モードを出力する。
【００２６】
このとき、第１の制御部５は、電源スイッチ１より入力した閉信号により、動作モードを切り替えた場合、第２の制御部１２を介して、第２の誘導加熱部１５の動作モードを確
認する。このとき、第１の誘導加熱部８の動作モードが電源オンモードで、第２の誘導加熱部１５の動作モードが電源オフモードであった場合には、第１の誘導加熱部８は動作モードを電源オフモードに切り替える。同様に、第２の制御部１２は、電源スイッチ１より入力した閉信号により、動作モードを切り替えた場合、第１の制御部５を介して、第１の誘導加熱部８の動作モードを確認する。このとき、第２の誘導加熱部１５の動作モードが電源オンモードで、第１の誘導加熱部８の動作モードが電源オフモードであった場合には、第２の誘導加熱部１５は動作モードを電源オフモードに切り替える。
【００２７】
これによって、第１及び第２の動作モード切替手段７、１４を構成する回路のバラツキにより、電源スイッチ１より出力された閉信号が短時間であるとき、第１の動作モード切替手段７と第２の動作モード切替手段１４の動作モードが一致せず、第１あるいは第２の操作表示部６、１３のいずれか片方のみ設けられたスイッチ等の入力を受け付ける事態の発生を防止する。すなわち、第１の動作モード切替手段７が、電源オフモードから電源オンモードあるいは、電源オンモードから電源オフモードに切り替わったとしても、第２の動作モード切替手段１４が、電源オフモードから電源オンモードあるいは、電源オンモードから電源オフモードに切り替わらない事態を防止することができる。
【００２８】
また、使用者が通常開の状態である電源スイッチ１を閉の状態にすると、第１及び第２の動作モード切替手段７、１４は、電源スイッチ１から出力された閉信号により、動作モードの切り替えを行うが、その閉信号が一定時間（例えば、０．２秒）以上継続しなければ、動作モードの切り替えを行わず、動作モードを保持する。すなわち、使用者が通常開の状態である電源スイッチ１を一定時間（例えば０．２秒）以上閉の状態を維持しなければ、第１及び第２の動作モード切替手段７、１４は、動作モードの切り替えを行わず、動作モードを保持する。これによって、使用者が無意識で電源スイッチ１に触れて動作モードが切り替わる事態の発生を低減し、安全性を向上させることができる。さらに、動作モード切替手段をマイクロコンピュータにて構成することにより、設定した所定時間のバラツキを少なくすることができ、精度を向上できる。
【００２９】
さらに、第１の制御部５は、電源スイッチ１より入力した閉信号により、動作モードを切り替えた場合、第２の制御部１２を介して、第２の誘導加熱部１５の動作モードを確認するが、このとき、第１の制御部５は、動作モードを切り替えてから所定時間（例えば１秒）経過後に第２の誘導加熱部１５の動作モードの情報を有効とする。同様に、第２の制御部１２は、電源スイッチ１より入力した閉信号により、動作モードを切り替えた場合、第１の制御部５を介して、第１の誘導加熱部８の動作モードを確認するが、このとき、第２の制御部１２は、動作モードを切り替えてから所定時間（例えば１秒）経過後に第１の誘導加熱部８の動作モードの情報を有効とする。これによって、他の誘導加熱部の動作モードについての情報を参照する際に、構成する回路のバラツキにより他の誘導加熱部の動作モードが切り替わったという情報の伝達にディレイ時間が発生した場合でも、不用意に自らの動作モードを切り替える事態を避けることができる。
【００３０】
また、第１及び第２の動作モード切替手段７、１４は、電源スイッチ１から出力された閉信号により、動作モードの切り替えを行うが、動作モードが電源オンモードから電源オフモードに切り替えるために必要とする、電源スイッチ１から出力された閉信号の時間より、動作モードが電源オフモードから電源オンモードに切り替えるために必要とする、電源スイッチ１から出力された閉信号の時間を短く設定する。すなわち、第１及び第２の動作モード切替手段７、１４が、動作モードを電源オンモードから電源オフモードに切り替えるためには、使用者がＴ１時間以上電源スイッチ１を閉状態にする必要があり、動作モードを電源オフモードから電源オンモードに切り替えるためには、使用者がＴ２時間以上電源スイッチ１を閉状態にする必要がある場合において、Ｔ１（例えば０．２秒）＞Ｔ２（例えば０．１秒）と設定する。これによって、使用者が緊急停止時など、第１及び第２
の誘導加熱部８、１５の動作モードを電源オフモードに切り替えたい場合においても、即座に電源オフモードに切り替えることができ、安全性を向上することができる。
【００３１】
さらに、第１及び第２の操作表示部６、１３は、ＬＥＤ等で構成された表示素子を点灯あるいは消灯することにより、第１及び第２の誘導加熱部８、１５の動作モードの表示を行う。すなわち、第１及び第２の誘導加熱部８、１５の動作モードが電源オフモードであれば、対応する第１及び第２の操作表示部６、１３の表示素子を消灯し、電源オンモードであれば、対応する第１及び第２の操作表示部６、１３の表示素子を点灯する。これによって、使用者に第１および第２の誘導加熱部８、１５の動作モードが電源オンモードであるのか、電源オフモードであるのかを視覚的に分かりやすく伝達することができる。
【００３２】
なお、電源スイッチ１の開閉信号に基づき動作モードを切り替える第１及び第２の動作モード切替手段７、１４を有する第１及び第２の誘導加熱部８、１５は、２つ以上あればよく、２つに限定するものではない。
【００３３】
なお、本発明における誘導加熱調理器は、負荷を加熱する装置（調理器）であればよく、特に限定するものではない。
【００３４】
以上のように、動作モードを電源オンモードと電源オフモードに切り替えるための開閉信号を出力する電源スイッチ１を１つ有し、電源スイッチ１の開閉信号に基づき動作モードを切り替える動作モード切替手段を２つ以上有する構成において、他の動作モード切替手段の動作モードについての情報を入力することにより、電源スイッチ１の開閉信号に基づき動作モードを電源オンモードに切り替えた場合でも、他の動作モード切替手段の動作モードが電源オフモードであれば、自らの動作モードを電源オフモードとすることが可能となり、複数ある動作モード切替手段の動作モードを同一状態に保持することができる。
【産業上の利用可能性】
【００３５】
以上のように、本発明にかかる誘導加熱調理器は、機器の動作モードを電源オンモードか電源オフモードのいずれかに統一することができるため、１つの電源スイッチに対し、その開閉信号に基づき動作モードを切り替える複数の動作モード切替手段から構成される誘導加熱調理器に適用できる。
【符号の説明】
【００３６】
１  電源スイッチ
２  第１の加熱コイル
３  第１のスイッチング手段
４  第１のインバータ制御部
５  第１の制御部
６  第１の操作表示部
７  第１の動作モード切替手段
８  第１の誘導加熱部
９  第２の加熱コイル
１０  第２のスイッチング手段
１１  第２のインバータ制御部
１２  第２の制御部
１３  第２の操作表示部
１４  第２の動作モード切替手段
１５  第２の誘導加熱部
【図１】
0005621705.tif 000002
【図２】
0005621705.tif 000003